【事件の表示】
　特願２００３−３４６７１４号「歯ブラシおよび歯ブラシ装置」拒絶査定不服審判事件〔平成１７年４月２８日出願公開、特開２００５−１１０８２９号〕について、次のとおり審決する。
【結　論】
　本件審判の請求は、成り立たない。
【理　由】
１．手続の経緯・本願発明 
　本願は、平成１５年１０月６日を出願日とする出願であって、平成２０年１月２８日付けで拒絶査定がなされ、これに対して、同年２月１３日に拒絶査定不服審判の請求がなされたものであり、その請求項１および２に係る発明は、平成１９年１１月１９日付け手続補正書により補正された特許請求の範囲の請求項１および２の記載により特定されるとおりのものと認められるところ、請求項１に係る発明（以下、「本願発明」という。）は、次のとおりである。 
「柄、この柄の先端部に一体形成された頭部、この頭部に植毛されたブラシとからなる歯ブラシ本体と、この歯ブラシ本体の先端部あるいは先端部寄りの部位から水を噴射させることができる噴射ノズルと、この噴射ノズルに水を供給することができる洗浄水供給具と、この洗浄水供給具および前記噴射ノズルの両方あるいはいずれか一方に前記歯ブラシ本体の柄を着脱可能に挟持する取付け手段あるいは歯ブラシ本体の柄の後端側の部位を着脱可能に挟持する第１の挟持片および頭部の根元部位を着脱可能に挟持する第２の挟持片とからなる取付け手段とを備えることを特徴とする歯ブラシ。」
　
２．引用例の記載事項 
　原査定の拒絶の理由に引用された特開２００２−５８５３７号公報（以下、「引用例」という。）には、下記の記載および図示がある。
(a)「【０００１】
【発明の属する技術分野】本発明は、摂食や嚥下に障害を有する患者の口腔内を清拭する器具に関するものである。」
　
(b)「【０００５】
【課題を解決するための手段】この課題を解決するには、あらかじめ吸引用のチューブを挿入するための孔を設け、かつ給水ポンプの先端を挿入する接続口をもつ背板をつくり、それを市販の歯ブラシに装着する。そして、孔にチューブを挿入し、ポンプを接続口に取り付け、ポンプから給水して、口内の汚れを落ちやすくしながら、歯ブラシで汚れを落とし、汚れたものをチューブより吸引すればよい。」
　
(c)「【０００６】
【発明の実施の形態】背板にチューブ挿入用の孔１を設ける。背板底面の歯ブラシの先端があたる部位に、歯ブラシの先端を収納するポケット２を設ける。背板の両側から側面壁３を設ける。その両側の側面壁の一定区間の下端辺縁部を内側に曲げて折り曲げ部４を設け、歯ブラシ本体に背板が嵌着できるようにする。背板の上面手元側に接続口５と貫通孔６を設ける。図２のように背板の底面に給水用の溝７を設ける。溝７の後端と前記貫通孔６をつなげる。溝の前端は背板の前方の両側面壁の下端に溝口８を設けて終わる。チューブを係止する係止片９を設ける。実施に際しては、図７のように背板を歯ブラシに嵌着し、孔１に吸引用チューブを挿入し、そのチューブの先端が、ブラシ状になるように切れ込み部１０を設ける。チューブの途中を係止片９で係止してから、市販の吸引機などにチューブをつなぐ。接続口５にポンプとしての注射筒の先端を装着する。保持具１１で歯ブラシと注射筒を着脱自在に保持する。」
　
(d)「【０００７】
【実施例】孔１の付近の背板は厚みを増してもよい。孔１は背板の先端でなく、側部や柄側に設けてもよい。背板は貼着してもよい。溝７は背板の底部でなく内側面や、外表面に設けてもよい。また、溝７は溝でなくトンネルやチューブでもよい。接続口５は背板の上部でなく、側面や側面に設けてもよい。ポンプとして、輸液パックなどのチューブの先端を取り付けてもよい。貫通孔６と溝７による給水ではなく、注射筒の先端につけたチューブを、背板の上部、底部、側部、内部などに沿って前方に向かうように設置し、給水してもよい。水を給する代わりに、他の液を給してもよい。給水が不必要な場合は、注射筒を装着しなくてもよい。」
　
(e)上記(b)で示したように、「・・・市販の歯ブラシ・・・」との記載があり、一般に、市販の歯ブラシの大抵が「柄、この柄の先端部に一体形成された頭部、この頭部に植毛されたブラシとからなる歯ブラシ」であることは、極めてよく知られた事項であることから、引用例には、「柄、この柄の先端部に一体形成された頭部、この頭部に植毛されたブラシとからなる歯ブラシ」が記載されているに等しい。
　
(f)【図２】には、「背板に設けられた対向する対の折り曲げ部４」が図示されている。
　
　上記(a)ないし(f)の記載事項および図示内容より、引用例には、
「柄、この柄の先端部に一体形成された頭部、この頭部に植毛されたブラシとからなる歯ブラシと、給水用の溝口８と、この溝口８に給水することができる『背板、チューブおよび輸液パック』と、この『背板、チューブおよび輸液パック』に前記歯ブラシを嵌着する『背板に設けられた対向する対の折り曲げ部４』とを備える『口腔内を清拭する器具』。」の発明が開示されている。
　
３．対比・判断  
　本願発明と引用例記載の発明とを対比する。  
○引用例記載の発明の「歯ブラシ」、「給水用の溝口８」、「給水」「『背板、チューブおよび輸液パック』」、「『背板に設けられた対向する対の折り曲げ部４』」、「『口腔内を清拭する器具』」は、
　本願発明の「歯ブラシ本体」、「水を噴射させることができる噴射ノズル」、「水を供給」、「洗浄水供給具」、「取付け手段」、「歯ブラシ」それぞれに相当する。
　
○引用例記載の発明の「『背板、チューブおよび輸液パック』（洗浄水供給具）に歯ブラシ（歯ブラシ本体）を嵌着する『背板に設けられた対向する対の折り曲げ部４』（取付け手段）」は、「洗浄水供給具に歯ブラシ本体の柄を着脱可能に挟持する取付け手段」であるということができることから、
　本願発明の「洗浄水供給具および噴射ノズルの両方あるいはいずれか一方に歯ブラシ本体の柄を着脱可能に挟持する取付け手段あるいは歯ブラシ本体の柄の後端側の部位を着脱可能に挟持する第１の挟持片および頭部の根元部位を着脱可能に挟持する第２の挟持片とからなる取付け手段」に相当する。
　
　上記より、引用例記載の発明は、
「柄、この柄の先端部に一体形成された頭部、この頭部に植毛されたブラシとからなる歯ブラシ本体と、水を噴射させることができる噴射ノズルと、この噴射ノズルに水を供給することができる洗浄水供給具と、この洗浄水供給具および前記噴射ノズルの両方あるいはいずれか一方に前記歯ブラシ本体の柄を着脱可能に挟持する取付け手段あるいは歯ブラシ本体の柄の後端側の部位を着脱可能に挟持する第１の挟持片および頭部の根元部位を着脱可能に挟持する第２の挟持片とからなる取付け手段とを備える歯ブラシ。」に相当し、この点において両者は一致し、
　本願発明では、水の噴射が「歯ブラシ本体の先端部あるいは先端部寄りの部位から」行われているのに対して、
　引用例記載の発明では、同噴射が「歯ブラシ本体の先端部あるいは先端部寄りの部位から」行われているかどうか明らかでない点で相違している。（以下、「相違点」という。）
　
　相違点について検討する。
　引用例記載の発明において、歯ブラシ本体の頭部に植毛されたブラシを用いてブラッシングする箇所へ水を供給する必要があること自体、当然の事項であることから、該箇所への水の供給が確実になるように、ブラシが植毛されている頭部に近い部位（歯ブラシ本体の先端部寄りの部位）から水を噴射させることは、当業者であれば容易に想到し得ることである。
　したがって、相違点に係る本願発明の発明特定事項とすることは、当業者であれば容易になし得ることである。 
　そして、本願発明の作用効果は、引用例記載の発明より当業者であれば十分に予測し得ることである。 
　よって、本願発明は、引用例記載の発明に基いて当業者が容易に発明をすることができたものである。
　
４．むすび 
　したがって、本願発明は、引用例記載の発明に基いて当業者が容易に発明をすることができたものであるので、特許法第２９条第２項の規定により特許を受けることができない。 
　それゆえ、本願は、特許請求の範囲の請求項２に係る発明について検討するまでもなく、拒絶すべきものである。
　よって、結論のとおり審決する。